(57)【特許請求の範囲】
【請求項１】
少なくとも１枚の可動障子と、
当該可動障子を閉めた状態で固定する錠と、
前記可動障子の位置を検知する障子位置検知手段と、
前記錠の回転軸と当該錠のレバーとの上下位置関係が、施錠状態と同じである第一状態であるか、解錠状態と同じである第二状態であるか、を検出する錠状態検知手段と、
前記錠を空がけ状態で、且つ前記可動障子の位置が変化したときに、報知を行う報知手段と、を備えた窓の防犯システムであって、
前記錠状態検知手段が、前記第一状態を検知し、且つ、前記障子位置検知手段が、前記可動障子の位置が変化したことを検知したときに、前記報知手段による報知を行うことを特徴とする防犯システム。
【請求項２】
前記錠状態検知手段は、前記錠の前記レバーの部分に設けられた錠状態検知用磁石と、当該錠状態検知用磁石を検知可能な位置に設けられた錠状態検知用磁気センサーとから成ることを特徴とする請求項１に記載の防犯システム。
【請求項３】
前記錠状態検知手段は、振動センサーも備えており、前記窓のガラス破り検知機能も有することを特徴とする請求項２に記載の防犯システム。
【請求項４】
前記障子位置検知手段は、障子位置検知用磁石と、当該障子位置検知用磁石を検知可能な障子位置検知用磁気センサーとから成り、
前記障子位置検知用磁石と前記障子位置検知用磁気センサーのいずれか一方が、前記可動障子に取り付けられ、
前記障子位置検知用磁石と前記障子位置検知用磁気センサーの他方が、前記障子位置検知用磁石と前記障子位置検知用磁気センサーのいずれか一方が取り付けられた前記可動障子以外の部分に取り付けられていることを特徴とする請求項１乃至３のいずれか１項に記載の防犯システム。
【請求項５】
前記障子位置検知手段は、振動センサーも備えており、前記窓のガラス破り検知機能も有することを特徴とする請求項１乃至４のいずれか１項に記載の防犯システム。
【請求項６】
前記錠状態検知手段が前記第二状態を検知し、所定時間が経過すると、前記報知手段により、注意喚起の報知を行うことを特徴とする請求項１乃至５のいずれか１項に記載の防犯システム。
【請求項７】
前記窓の内側には、前記報知手段による報知の一時的な延長又は停止を可能とする報知延長・停止手段が設置されていることを特徴とする請求項６に記載の防犯システム。
【請求項８】
前記報知延長・停止手段による報知の一時的な延長又は停止がなされても、設定された時間内に前記錠状態検知手段が前記第一状態を検知するとともに、前記障子位置検知手段が閉状態を検知したときは、前記報知手段による報知が行われる状態に復帰させる復帰手段が設けられていることを特徴とする請求項７に記載の防犯システム。
【請求項９】
前記報知手段は、音、表示及びデータ受信装置に送信する報知データの少なくともいずれか一での報知を行うことを特徴とする請求項１乃至８のいずれか１項に記載の防犯システム。
【請求項１０】
報知モード切替手段を備え、前記報知データによる報知及び前記表示による報知のみを行う軽警戒モードと、前記音による報知及び前記報知データによる報知、又は、前記音による報知、前記表示による報知、及び前記報知データによる報知の全てを行う重警戒モードとを切替可能とされていることを特徴とする請求項９に記載の防犯システム。
【請求項１１】
前記窓の状況を色又は光の点滅で表示する表示部を備えていることを特徴とする請求項１乃至１０のいずれか１項に記載の防犯システム。
【請求項１２】
前記窓の状況を表示する防犯システム本体装置とは別体の表示手段を備えていることを特徴とする請求項１乃至１１のいずれか１項に記載の防犯システム。
【請求項１３】
前記窓が引き違い窓又は片引き窓であることを特徴とする請求項１乃至１２のいずれか１項に記載の防犯システム。
【請求項１４】
前記窓が開き窓であることを特徴とする請求項１乃至１２のいずれか１項に記載の防犯システム。
【発明の詳細な説明】
【技術分野】
【０００１】
本発明は、建物内への侵入者等の侵入を防止する防犯システムに関するものである。
【背景技術】
【０００２】
従来から、建物内への侵入者等の侵入を防止する防犯システムに関する技術が多く提案され、実施に供されている。
【０００３】
例えば、特許文献１には、警戒解除や警戒のための警戒設定操作を行わなくても常時防犯が行われる防犯システムが開示されている。
【先行技術文献】
【特許文献】
【０００４】
【特許文献１】特開２０１４−１３９７４４号公報
【発明の概要】
【発明が解決しようとする課題】
【０００５】
しかしながら、上記した特許文献１に開示された防犯システムは、優れたものであるものの、特に、窓の錠が空がけ防止用でない既存のものである場合には、構造上、空がけ防止用の錠に交換することができないケースが多々ある。
【０００６】
そこで、本発明は、窓の錠が空がけ防止用でない場合でも防犯対策が行える防犯システムを提供することを目的としている。
【課題を解決するための手段】
【０００７】
前記目的を達成するために、本発明の防犯システムは、少なくとも１枚の可動障子と、当該可動障子を閉めた状態で固定する錠とを備えた窓の防犯システムであって、前記錠を空がけ状態で、且つ前記可動障子の位置が変化したときに、報知手段により報知を行うことを特徴とする。
【０００８】
ここで、前記可動障子の位置を検知する障子位置検知手段と、前記クレセント錠の回転軸と当該錠のレバーとの上下位置関係が、施錠状態と同じである第一状態であるか、解錠状態と同じである第二状態であるか、を検出する錠状態検知手段と、を備え、前記錠状態検知手段が、前記第一状態を検知し、且つ、前記障子位置検知手段が、前記可動障子の位置が変化したことを検知したときに、前記報知手段による報知を行うとよい。
【０００９】
また、前記錠状態検知手段は、前記錠の前記レバーの部分に設けられたクレセント錠状態検知用磁石と、当該錠状態検知用磁石を検知可能な位置に設けられた錠状態検知用磁気センサーとから成るとよい。
【００１０】
さらに、前記錠状態検知手段は、振動センサーも備えており、前記窓のガラス破り検知機能も有するとよい。
【００１１】
また、前記障子位置検知手段は、障子位置検知用磁石と、当該障子位置検知用磁石を検知可能な障子位置検知用磁気センサーとから成り、前記障子位置検知用磁石と前記障子位置検知用磁気センサーのいずれか一方が、前記可動障子に取り付けられ、前記障子位置検知用磁石と前記障子位置検知用磁気センサーの他方が、前記障子位置検知用磁石と前記障子位置検知用磁気センサーのいずれか一方が取り付けられた前記可動障子以外の部分に取り付けられているとよい。
【００１２】
さらに、前記障子位置検知手段は、振動センサーも備えており、前記窓のガラス破り検知機能も有するとよい。
【００１３】
また、前記錠状態検知手段が前記第二状態を検知し、所定時間が経過すると、前記報知手段により、注意喚起の報知を行うとよい。
【００１４】
さらに、前記窓の内側には、前記報知手段による報知の一時的な延長又は停止を可能とする報知延長・停止手段が設置されているとよい。
【００１５】
また、前記報知延長・停止手段による報知の一時的な延長又は停止がなされても、設定された時間内に前記錠状態検知手段が前記第一状態を検知するとともに、前記障子位置検知手段が閉状態を検知したときは、前記報知手段による報知が行われる状態に復帰させる復帰手段が設けられているとよい。
【００１６】
さらに、前記報知手段は、音、表示及びデータ受信装置に送信する報知データの少なくともいずれか一での報知を行うとよい。
【００１７】
また、報知モード切替手段を備え、前記報知データによる報知及び前記表示による報知のみを行う軽警戒モードと、前記音による報知及び前記報知データによる報知、又は、前記音による報知、前記表示による報知、及び前記報知データによる報知の全てを行う重警戒モードとを切替可能とされているとよい。
【００１８】
さらに、前記窓の状況を色又は光の点滅で表示する表示部を備えているとよい。
【００１９】
また、前記窓の状況を表示する防犯システム本体装置とは別体の表示手段を備えているとよい。
【００２０】
また、前記窓が引き違い窓又は片引き窓であってもよい。
【００２１】
さらに、前記窓が開き窓であってもよい。
【発明の効果】
【００２２】
このような本発明の防犯システムは、少なくとも１枚の可動障子と、可動障子を閉めた状態で固定する錠とを備えた窓の防犯システムであって、錠を空がけ状態で、且つ可動障子の位置が変化したときに、報知手段により報知を行う構成とされている。
【００２３】
上記した構成なので、万一、錠を空がけ状態としてしまい、侵入者等がその状態で窓を開けて建物内に侵入しようとすると、居住者等の建物の使用者に報知手段により報知されるため、窓の錠が空がけ防止用でない場合でも防犯対策を行うことができる。
【００２４】
ここで、可動障子の位置を検知する障子位置検知手段と、錠の回転軸と錠のレバーとの上下位置関係が、施錠状態と同じである第一状態であるか、解錠状態と同じである第二状態であるか、を検出する錠状態検知手段と、を備え、錠状態検知手段が、第一状態を検知し、且つ、障子位置検知手段が、可動障子の位置が変化したことを検知したときに、報知手段による報知を行う場合は、錠状態検知手段の状態検知と、障子位置検知手段の変化検知とを行うだけの簡易な構成で、窓の錠が空がけ防止用でない場合でも防犯対策を行うことができる。
【００２５】
また、錠状態検知手段は、錠のレバーの部分に設けられた錠状態検知用磁石と、錠状態検知用磁石を検知可能な位置に設けられた錠状態検知用磁気センサーとから成る場合は、錠状態検知手段を、錠状態検知用磁石と、錠状態検知用磁気センサーとで簡易に構成することができる。
【００２６】
さらに、錠状態検知手段は、振動センサーも備えており、窓のガラス破り検知機能も有する場合は、建物内への侵入犯罪手口のうち、無施錠の窓や戸からの侵入（４３．４％）に次いで多いガラス破り（錠状態検知用磁気センサーが設置される側のガラス破り）による侵入（４０．５％）に対する防犯対策にもなる（数字は、警視庁発表の発生場所別の侵入手口２０１１年を引用）。
【００２７】
また、障子位置検知手段は、障子位置検知用磁石と、障子位置検知用磁石を検知可能な障子位置検知用磁気センサーとから成り、障子位置検知用磁石と障子位置検知用磁気センサーのいずれか一方が、可動障子に取り付けられ、障子位置検知用磁石と障子位置検知用磁気センサーの他方が、障子位置検知用磁石と障子位置検知用磁気センサーのいずれか一方が取り付けられた可動障子以外の部分に取り付けられている場合は、障子位置検知手段を、障子位置検知用磁石と、障子位置検知用磁気センサーとで簡易に構成することができる。
【００２８】
さらに、障子位置検知手段は、振動センサーも備えており、窓のガラス破り検知機能も有する場合は、建物内への侵入犯罪手口のうち、無施錠の窓や戸からの侵入（４３．４％）に次いで多いガラス破り（障子位置検知用磁気センサー又は障子位置検知用磁石が設置される側のガラス破り）による侵入（４０．５％）に対する防犯対策にもなる（数字は、警視庁発表の発生場所別の侵入手口２０１１年を引用）。
【００２９】
また、錠状態検知手段が第二状態を検知し、所定時間が経過すると、報知手段により、注意喚起の報知を行う場合は、侵入手口の多くは、施錠忘れが原因であることから、居住者等の建物の使用者の多くは、外出時などに施錠忘れをしていないか不安に思うが、この不安を払拭することができる。
【００３０】
さらに、窓の内側には、報知手段による報知の一時的な延長又は停止を可能とする報知延長・停止手段が設置されている場合は、例えば、ベランダでの物干し作業等の時に、いちいち防犯システム本体装置まで行って警戒解除の操作をしなくても、その場で延長又は停止させることができ、非常に使い勝手が良い。特に、夏場や冬場は建物の屋内はエアコンなどの冷暖房機器を用いているケースが多いが、ベランダで洗濯物を干す作業を行っていたり、庭仕事をしていたりしているときなどに、窓を施錠せず閉状態としても、万一、設定した時間経てば報知してくれるので、そのまま忘れることもない。
【００３１】
また、報知延長・停止手段による報知の一時的な延長又は停止がなされても、設定された時間内に錠状態検知手段が第一状態を検知するとともに、障子位置検知手段が閉状態を検知したときは、報知手段による報知が行われる状態に復帰させる復帰手段が設けられている場合は、再度施錠されれば、自動的にリセットされるので、報知の一時的な延長又は停止の解除忘れがない。
【００３２】
さらに、報知手段は、音、表示及びデータ受信装置に送信する報知データの少なくともいずれか一での報知を行う場合は、居住者等の建物の使用者が建物から外出中のときなどの防犯対策は勿論、居住者等の建物の使用者が建物内に居るときなどの防犯対策も行える。
【００３３】
また、報知モード切替手段を備え、報知データによる報知及び表示による報知のみを行う軽警戒モードと、音による報知及び報知データによる報知、又は、音による報知、表示による報知、及び報知データによる報知の全てを行う重警戒モードとを切替可能とされている場合は、例えば、昼間などは軽警戒モードとなり、夜間や外出中などには重警戒モードとなるように設定すれば、施錠し忘れによる音での他の家族の睡眠妨害や近所迷惑などを極力少なくしながら、防犯対策が行える。なお、ガラス破りは危険性が高いので、いずれのモードでも、侵入者等への威嚇を兼ねた警報として、音による報知を行うように設定するとよい。
【００３４】
さらに、窓の状況を色又は光の点滅で表示する表示部を備えている場合は、表示部の色や光の点滅を見るだけで、一目で安全度の目安とすることができる。
【００３５】
また、窓の状況を表示する防犯システム本体装置とは別体の表示手段を備えている場合は、例えば、玄関や居間などに表示手段を設置すれば、一目で建物全体の施錠状態を確認することができる。すなわち、防犯システム本体装置が設置されている場所以外でも、居住者等の建物の使用者は、一目で建物全体の施錠状態を確認することができ、より防犯性を高めることができる。
【００３６】
また、窓が引き違い窓又は片引き窓である場合は、本発明の防犯システムを、引き違い窓又は片引き窓に適用することができる。
【００３７】
さらに、窓が開き窓である場合は、本発明の防犯システムを、開き窓に適用することができる。
【図面の簡単な説明】
【００３８】
【図１】実施例１の防犯システムを備えた建物の概略構成を示す説明図である。
【図２】実施例１の建物の内部から見た引き違い窓の部分の詳細を示す説明図である。
【図３】実施例１の建物の外部から見た引き違い窓の部分の詳細を示す説明図である。
【図４】（ａ）は、クレセント錠が第一状態にあるときを示した説明図であり、（ｂ）は、クレセント錠が第二状態にあるときを示した説明図である。
【図５】実施例２の建物の内部から見た開き窓の部分の詳細を示す説明図である。
【図６】レバーハンドル錠のレバーが、第一状態とあるときと第二状態にあるときを示した説明図である。
【図７】突部と受材との位置関係を示した図であって、（ａ）は施錠状態のとき、（ｂ）は解錠状態のとき、（ｃ）は空がけ状態のときをそれぞれ示した図である。
【図８】図５におけるＡ−Ａ線矢視断面図である。
【図９】図５におけるＢ−Ｂ線矢視断面図である。
【発明を実施するための形態】
【００３９】
以下、本発明を実施するための形態を、図面に示す実施例１，２に基づいて説明する。
【実施例１】
【００４０】
先ず、実施例の構成について説明する。
【００４１】
図１は、実施例１の防犯システムを備えた建物１の概略構成を示している。
【００４２】
この実施例１の防犯システムは、建物１の引き違い窓２に設置された窓状態検知装置２０と、建物１内に設置された防犯システム本体装置４とから主に構成されている。
【００４３】
ここで、防犯システム本体装置４内には、全体の制御を行う制御手段としての制御部４１が設けられている。
【００４４】
また、クレセント錠２Ｃのレバー２ａが回転軸２ｂの上側に位置し、クレセント受け（図示せず）に嵌り込んで引き違い窓２が施錠状態であるとき又はクレセント受け（図示せず）に嵌り込めずに空がけ状態であるときを第一状態と定義し（図４（ａ）を参照）、クレセント錠２Ｃのレバー２ａが回転軸２ｂの下側に位置し、クレセント受け（図示せず）から外れて引き違い窓２が解錠状態であるときを第二状態と定義している（図４（ｂ）を参照）。なお、レバー２ａに設けられた錠状態検知用磁石２３ｍの詳細については後述する。
【００４５】
そして、窓状態検知装置２０が、引き違い窓２が第二状態である解錠状態を検知すると、内蔵された発信器（図示せず）が防犯システム本体装置４に設けられた受信器４２に信号を送り、タイマー４３が設定した時間Ｔを計時すると、防犯システム本体装置４に内蔵された報知手段としてのスピーカー４８から通知音や警告音などの音が発せられ、報知が行われる。
【００４６】
また、窓状態検知装置２０が、引き違い窓２が第一状態のうちの空がけ状態となっているとともに、引き違い窓２が閉状態から開状態へ変化したことを検知すると、内蔵された発信器（図示せず）が防犯システム本体装置４に設けられた受信器４２に信号を送り、防犯システム本体装置４に内蔵された報知手段としてのスピーカー４８から通知音や警告音などの音が発せられ、報知が行われる。
【００４７】
なお、制御部４１が発信器４４から窓状態検知装置２０に内蔵された報知手段としてのスピーカー５１の受信器（図示せず）に信号を送り、スピーカー５１からも通知音や警告音などの音が発せられ、報知が行われるように設定することもできる。
【００４８】
そのうえで、報知のレベルに応じ、施錠忘れ等の未施錠のときは、この防犯システム本体装置４のスピーカー４８だけから通知音を発し、引き違い窓２が空がけ状態で開かれた際や、引き違い窓２のガラス破りの際には、侵入者等への威嚇を主たる目的として、スピーカー４８からは勿論、スピーカー５１からも警告音を発するように設定されている。
【００４９】
すなわち、特に、防犯システム本体装置４を人が多く集まるリビング等に設置すれば、離れた部屋の情報も気付くことができる。
【００５０】
一方、解錠状態で、引き違い窓２が開かれた際には、警告音を発しない。
【００５１】
ここで、通知音とは、居住者Ｍ等の建物１の使用者に注意喚起するためのものなので、７０ｄＢ程度の比較的長周期のストレスの少ない音のことであり、警告音とは、侵入者等への威嚇を主たる目的としているので、７０ｄＢ以上の短周期のストレスを与え威嚇する音のことである。
【００５２】
さらに、制御部４１は、発信器４４からの信号を、インターネットや電話回線などのネットワークＮに接続されたゲートウェイやルータなどのネットワーク接続装置４５を介して、居住者Ｍが身に付けている携帯電話や専用通信機などの報知手段としてのデータ受信装置６にも送り、メール形式などで報知データによる報知を行う。
【００５３】
なお、窓状態検知装置２０には、報知の一時的な延長又は停止を可能とする報知延長・停止手段としての報知延長・停止ボタン２１がそれぞれ設けられている。
【００５４】
この報知延長・停止ボタン２１は、１回押すと設定した時間Ｔよりも長い時間Ｔ’に報知時間が延長され、２回押すとこの延長設定が解除されるようになっている。
【００５５】
なお、窓状態検知装置２０及び防犯システム本体装置４には、引き違い窓２を再度施錠すると、自動的に初期状態に復帰する復帰手段としての復帰回路が組み込まれている。
【００５６】
さらに、玄関ドア３の横には、防犯システム本体装置４の発信器４４から送られる信号を受信する受信器（図示せず）が内蔵された表示手段としてのモニター７が設けられており、引き違い窓２の施錠状態が一目で分かるように表示されるようになっている。
【００５７】
なお、この表示手段としてのモニター７は、必要に応じ、複数台設けてもよく、例えば、リビングや寝室に設けてもよい。
【００５８】
また、この表示手段としてのモニター７としては、比較的安価なタブレットパソコンなどを利用することができ、この場合、音による報知も行えるように設定することができる。
【００５９】
次に、引き違い窓２に設けられた窓状態検知装置２０について詳細に説明する。
【００６０】
引き違い窓２は、図２及び図３に示したように、２枚の可動障子２Ａ，２Ｂから成る引き違い窓である。
【００６１】
また、窓状態検知装置２０は、可動障子２Ａ，２Ｂの建物１の内部側の面にそれぞれ設けた錠状態検知手段２０Ａを構成する錠状態検知装置本体２０ａと、障子位置検知手段２０Ｂを構成する障子位置検知装置本体２０ｂとから主に構成される。
【００６２】
具体的には、引き違い窓２のクレセント錠２Ｃの隣にある左側の錠状態検知装置本体２０ａに内蔵された錠状態検知用磁気センサー２３ｓの磁気の変動感知により、錠状態検知用磁石２３ｍをレバー２ａの部分に埋め込んだり貼り付けたりして設けたクレセント錠２Ｃが、図４（ａ）に示したように、レバー２ａが上側にある第一状態（施錠状態又は空がけ状態）であるか、図４（ｂ）に示したように、レバー２ａが下側にある第二状態（解錠状態）であるかを検知することができる。
【００６３】
また、錠状態検知装置本体２０ａ及び障子位置検知装置本体２０ｂには、振動センサーも内蔵されており、ガラス破りの際に生ずる特有の周波数の振動を感知すると、ガラス破りがなされたものとして検知することもできる。
【００６４】
さらに、図３に示したように、引き違い窓２の外部側には、障子位置検知装置本体２０ｂに内蔵された障子位置検知用磁気センサー２２ｓの裏側位置の可動障子２Ａの窓枠に障子位置検知用磁石２２ｍが設けられており、障子位置検知用磁石２２ｍと障子位置検知用磁気センサー２２ｓとの間の距離の変位により、磁気の変化として引き違い窓２の開閉も検知することができる。
【００６５】
なお、クレセント錠２Ｃとしては、空がけ防止用でないものが用いられており、窓状態検知装置２０は、クレセント錠２Ｃが施錠状態であるときと、空がけ状態であるときとを、同一の第一状態として検知するものである。
【００６６】
なお、１枚の可動障子から成る片引き窓や、３枚以上の可動障子から成り、左右のいずれか片側にクレセント錠を有するタイプの引き違い窓でも、略同様の構成で実施することができる。
【００６７】
次に、防犯システム本体装置４に設けられた表示部４７について詳細に説明する。
【００６８】
この表示部４７は、内部に発光ダイオードなどの光素子が組み込まれており、窓状態検知装置２０で検知した検知結果に基づいた安全度の度合いを色や光の点滅で表示する。
【００６９】
具体的には、一例として以下のように設定される。
【００７０】
（１）引き違い窓２が、ガラス割れ無し、第一状態（施錠状態又は空がけ状態）で、閉状態であるときは、表示部４７を青色で点灯させる。この場合、安全であるとみなす。
【００７１】
（２）引き違い窓２が、ガラス割れ無し、第二状態（解錠状態）であるときは、閉状態、開状態を問わず、表示部４７を赤色で点灯させる。この場合、引き違い窓２が解錠状態になっているので、侵入者等の侵入を許す危険な状態にあるとみなす。なお、報知延長・停止ボタン２１が押されて状態で延長時間Ｔ’までの間は、点滅させておき、そのことが分かるようになっている。
【００７２】
（３）引き違い窓２が、ガラス割れ無し、第二状態（解錠状態）で、開状態であるときは、表示部４７を黄色で点灯させる。この場合、建物１の居住者Ｍ等の建物１の使用者の窓開け等の行為であることが想定されるものの、一応は、侵入者等の解錠状態を狙った侵入行為も有り得るとみなす。
【００７３】
（４）引き違い窓２が、ガラス割れ無し、第一状態（施錠状態又は空がけ状態）で、開状態であるときは、表示部４７を紫色で点灯させる。この場合、空がけ状態を狙った侵入者等の行為があった可能性が高い危険な状態にあるとみなす。なお、障子位置検知用磁石２２ｍが落下した可能性も否めないので、いずれにせよ、確認が必要である。
【００７４】
（５）引き違い窓２が、ガラス割れ有りのときは、表示部４７を紫色で点灯させる。この場合、侵入者等の行為である可能性が高い危険な状態にあるとみなす。
【００７５】
勿論、表示部４７の色やパターンの設定は、使用者が分かりやすいように初期設定すればよい。
【００７６】
次に、実施例１の作用効果について説明する。
【００７７】
このような実施例１の防犯システムは、建物１における２枚の可動障子２Ａ，２Ｂと、これら可動障子２Ａ，２Ｂを閉めた状態で固定する錠としてクレセント錠２Ｃとを備えた窓である引き違い窓２の防犯システムであって、クレセント錠２Ｃを空がけ状態で、且つ可動障子２Ａ，２Ｂの位置が変化したときに、報知手段としてのスピーカー４８，５１、表示部４７及びデータ受信装置６により報知を行う構成とされている。
【００７８】
上記した構成なので、万一、クレセント錠２Ｃを空がけ状態としてしまい、侵入者等がその状態で引き違い窓２を開けて建物１内に侵入しようとすると、居住者Ｍ等の建物１の使用者に報知手段としてのスピーカー４８，５１、表示部４７及びデータ受信装置６により報知されるため、引き違い窓２のクレセント錠２Ｃが空がけ防止用でない場合でも防犯対策を行うことができる。
【００７９】
ここで、可動障子２Ａ，２Ｂの位置を検知する障子位置検知手段２０Ｂと、クレセント錠２Ｃの回転軸２ｂとクレセント錠２Ｃのレバー２ａとの上下位置関係が、施錠状態と同じである第一状態であるか、解錠状態と同じである第二状態であるか、を検出するクレセント錠状態検知手段２０Ａとを有する窓状態検知装置２０を備え、錠状態検知手段２０Ａが、第一状態を検知し、且つ、障子位置検知手段２０Ｂが、可動障子２Ａ，２Ｂの位置が変化したことを検知したときに、報知手段としてのスピーカー４８，５１、表示部４７及びデータ受信装置６による報知を行う。
【００８０】
このため、窓状態検知装置２０による錠状態検知手段２０Ａの状態検知と、障子位置検知手段２０Ｂの変化検知とを行うだけの簡易な構成で、引き違い窓２のクレセント錠２Ｃが空がけ防止用でない場合でも防犯対策を行うことができる。
【００８１】
また、窓状態検知装置２０の錠状態検知手段２０Ａは、クレセント錠２Ｃのレバーの部分に設けられた錠状態検知用磁石２３ｍと、錠状態検知用磁石２３ｍを検知可能な位置に設けられた錠状態検知用磁気センサー２３ｓとから成る。
【００８２】
このため、窓状態検知装置２０の錠状態検知手段２０Ａを、錠状態検知用磁石２３ｍと、錠状態検知用磁気センサー２３ｓとで簡易に構成することができる。
【００８３】
さらに、錠状態検知手段２０Ａは、振動センサーも備えており、引き違い窓２のガラス破り検知機能も有する。
このため、建物１内への侵入犯罪手口のうち、無施錠の窓や戸からの侵入（４３．４％）に次いで多いガラス破り（錠状態検知装置本体２０ａが設置される側のガラス破り）による侵入（４０．５％）に対する防犯対策にもなる（数字は、警視庁発表の発生場所別の侵入手口２０１１年を引用）。
【００８４】
また、窓状態検知装置２０の障子位置検知手段２０Ｂは、可動障子２Ａに取り付けられた障子位置検知用磁石２２ｍと、障子位置検知用磁石２２ｍを検知可能、且つ、障子位置検知用磁石２２ｍが取り付けられた可動障子２Ａ以外の位置に設けられた障子位置検知用磁気センサー２２ｓとから成る。
【００８５】
このため、窓状態検知装置２０の障子位置検知手段２０Ｂを、障子位置検知用磁石２２ｍと、障子位置検知用磁気センサー２２ｓとで簡易に構成することができる。
【００８６】
さらに、障子位置検知手段２０Ｂは、振動センサーも備えており、引き違い窓２のガラス破り検知機能も有する。
【００８７】
このため、建物１内への侵入犯罪手口のうち、無施錠の窓や戸からの侵入（４３．４％）に次いで多いガラス破り（障子位置検知装置本体２０ｂが設置される側のガラス破り）による侵入（４０．５％）に対する防犯対策にもなる（数字は、警視庁発表の発生場所別の侵入手口２０１１年を引用）。
【００８８】
また、窓状態検知装置２０の錠状態検知手段２０Ａが第二状態を検知し、所定時間Ｔが経過すると、報知手段としてのスピーカー４８，５１、表示部４７及びデータ受信装置６により、注意喚起の報知を行う。
【００８９】
このため、侵入手口の多くは、施錠忘れが原因であることから、居住者Ｍ等の建物１の使用者の多くは、外出時などに施錠忘れをしていないか不安に思うが、この不安を払拭することができる。
【００９０】
さらに、引き違い窓２の内側には、報知手段としてのスピーカー４８，５１、表示部４７及びデータ受信装置６による報知の一時的な延長又は停止を可能とする報知延長・停止手段としての報知延長・停止ボタン２１が設置されている。
【００９１】
このため、例えば、ベランダでの物干し作業等の時に、いちいち防犯システム本体装置４まで行って警戒解除の操作をしなくても、その場で延長又は停止させることができ、非常に使い勝手が良い。特に、夏場や冬場は建物１の屋内はエアコンなどの冷暖房機器を用いているケースが多いが、ベランダで洗濯物を干す作業を行っていたり、庭仕事をしていたりしているときなどに、引き違い窓２を施錠せず閉状態としても、万一、設定した時間Ｔ’経てば報知してくれるので、そのまま忘れることもない。
【００９２】
また、報知延長・停止手段としての報知延長・停止ボタン２１による報知の一時的な延長又は停止がなされても、設定された時間Ｔ’内に窓状態検知装置２０の錠状態検知手段２０Ａが第一状態を検知するとともに、窓状態検知装置２０の障子位置検知手段２０Ｂが閉状態を検知したときは、報知手段としてのスピーカー４８，５１、表示部４７及びデータ受信装置６による報知が行われる状態に復帰させる復帰手段としての復帰回路が設けられている。
【００９３】
このため、再度施錠されれば、自動的にリセットされるので、報知の一時的な延長又は停止の解除忘れがない。
【００９４】
さらに、報知手段としてのスピーカー４８，５１、表示部４７及びデータ受信装置６は、音、表示及びデータ受信装置に送信する報知データの少なくともいずれか一での報知を行う。
【００９５】
このため、居住者Ｍ等の建物１の使用者が建物１から外出中のときなどの防犯対策は勿論、居住者Ｍ等の建物１の使用者が建物１内に居るときなどの防犯対策も行える。
【００９６】
また、引き違い窓２の状況を色又は光の点滅で表示する表示部４７を備えている。
【００９７】
このため、表示部４７の色や光の点滅を見るだけで、一目で安全度の目安とすることができる。
【００９８】
さらに、引き違い窓２の状況を表示する防犯システム本体装置４とは別体の表示手段としてのモニター７を備えている。
【００９９】
このため、例えば、玄関や居間などに表示手段としてのモニター７を設置すれば、一目で建物１全体の施錠状態を確認することができる。すなわち、防犯システム本体装置４が設置されている場所以外でも、居住者Ｍ等の建物１の使用者は、一目で建物１全体の施錠状態を確認することができ、より防犯性を高めることができる。
【実施例２】
【０１００】
次に、実施例２について説明する。
【０１０１】
なお、実施例１で説明した内容と同一乃至均等な部分の説明については同一符号を付して説明する。
【０１０２】
図５は、実施例２の建物１の内部から見た開き窓２’の部分の詳細を示す説明図である。
【０１０３】
この実施例２の防犯システムでは、窓が枠２４ｇを有する可動障子２Ａから成る開き窓２’であり、錠がレバーハンドル錠２Ｄであることが実施例１の防犯システムと主に異なる。
【０１０４】
ここで、開き窓２’は、図５及び図６に示したように、レバーハンドル錠２Ｄのレバー２ａ’を、下向きにした状態では、図７（ａ）に示したように、可動障子２Ａの枠２４ｇの左側側面に、図示省略のリンク機構を介して設けた突部８が、固定障子２５の内側面に設けた受材９の受部９ａに嵌り込んで施錠状態となり、図６に二点鎖線で示したように、レバー２ａ’を、回転軸２ｂ’を中心に回して横向きにした状態では、図７（ｂ）に示したように、突部８は、受材９の受部９ａから外れて解錠状態となる。なお、図７（ｃ）に示したように、突部８が、受材９の受部９ａに嵌り損なった場合に、空がけ状態となってしまう。
【０１０５】
すなわち、レバーハンドル錠２Ｄのレバー２ａ’が下向きで、開き窓２’が施錠状態であるとき又は空がけ状態であるときを第一状態と定義し、レバーハンドル錠２Ｄのレバー２ａ’が横向きで、開き窓２’が解錠状態であるときを第二状態と定義している。
【０１０６】
また、窓状態検知装置２０を構成する錠状態検知手段２０Ａ及び障子位置検知手段２０Ｂの詳細も異なるものである。
【０１０７】
まず、錠状態検知手段２０Ａは、図８に示したように、これを構成する錠状態検知用磁気センサー２３ｓが内蔵された錠状態検知装置本体２０ａが、可動障子２Ａの建物１の内部側の面に設けられ、錠状態検知用磁石２３ｍは、レバーハンドル錠２Ｄのレバー２ａ’の裏面に、レバー２ａ’が下向きのときには、錠状態検知用磁気センサー２３ｓと略同じ高さ位置となるように設けられており、磁気の変動感知により、第一状態にあるか、第二状態にあるかの検知を行う。
【０１０８】
また、障子位置検知手段２０Ｂは、図９に示したように、これを構成する障子位置検知用磁気センサー２２ｓが内蔵された障子位置検知装置本体２０ｂが、可動障子２Ａの枠２４ｇの建物１の内部側の面に設けられ、障子位置検知用磁石２２ｍは、可動障子２Ａの枠２４ｇに隣接する固定障子２５の内側面に、開き窓２’が閉まっているときには、障子位置検知用磁気センサー２２ｓとの間があまりない短い距離となるように設けられており、磁気の変動感知により、開き窓２’が開状態にあるか、閉状態にあるかの検知を行う。
【０１０９】
このため、窓が開き窓２’のときも、窓状態検知装置２０の錠状態検知手段２０Ａを、錠状態検知用磁石２３ｍと、錠状態検知用磁気センサー２３ｓとで簡易に構成することができるし、窓状態検知装置２０の障子位置検知手段２０Ｂも、障子位置検知用磁石２２ｍと、障子位置検知用磁気センサー２２ｓとで簡易に構成することができる。
【０１１０】
なお、他の構成及び作用効果については、実施例１と略同様であるので説明を省略する。
【０１１１】
以上、図面を参照して、本発明を実施するための形態を実施例１，２に基づいて詳述してきたが、具体的な構成は、これら実施例１，２に限らず、本発明の要旨を逸脱しない程度の設計的変更は、本発明に含まれる。
【０１１２】
例えば、上記した実施例１，２では、本発明の説明を簡単に行うため、建物１の構成を簡易なものとしたが、これに限定されず、窓や戸が多いより複雑な構成で実施してもよい。
【０１１３】
また、上記した実施例１，２では、簡易な設定で実施したが、これに限定されない。
【０１１４】
例えば、この音による報知と、表示による報知と、報知データによる報知との全てを行うのは、防犯システム本体装置４に設けられた報知モード切替手段としての報知モード切替ボタン４６をオンにした重警戒モードとし、報知モード切替ボタン４６をオフにしておくと、軽警戒モードに切り替わり、表示による報知及び報知データによる報知のみが行われるようにするなどして実施してもよい。
【０１１５】
この場合、この報知モードの切替設定は、報知モード切替ボタン４６での手動によるものだけでなく、時間により切り替わる自動のものに設定することもできる。これにより、例えば、昼間などは軽警戒モードとなり、夜間や外出中などには重警戒モードとなるように設定すれば、施錠し忘れによる音での他の家族の睡眠妨害や近所迷惑などを極力少なくしながら、防犯対策が行える。
【０１１６】
なお、ガラス破りは危険性が高いので、いずれのモードでも、侵入者等への威嚇を主たる目的とした警報として、音による報知を行うように設定するとよい。
【０１１７】
また、報知モード切替ボタン４６は、オン・オフで切り替える１つボタンの方式だけでなく、軽警戒ボタンと重警戒ボタンとを別個に設けた２つボタンの方式で実施してもよい。
【０１１８】
いずれにせよ、居住者Ｍ等の建物１の使用者が、どちらのモードになっているか分かるようになっていればよい。
【０１１９】
さらに、上記した実施例１では、クレセント錠２Ｃのレバー２ａが上側にあると第一状態となり、下側にあると第二状態となるものを用いて実施したが、これに限定されず、上下逆のタイプのものを用いて実施してもよい。
【符号の説明】
【０１２０】
１        建物
２        引き違い窓（窓）
２’      開き窓（窓）
２Ａ      可動障子
２Ｂ      可動障子
２Ｃ      クレセント錠（錠）
２ａ      クレセント錠のレバー
２ｂ      クレセント錠の回転軸
２Ｄ      レバーハンドル錠（錠）
２ａ’    レバーハンドル錠のレバー
２ｂ’    レバーハンドル錠の回転軸
２０      窓状態検知装置
２０Ａ    錠状態検知手段
２０ａ    錠状態検知装置本体
２０Ｂ    障子位置検知手段
２０ｂ    障子位置検知装置本体
２１      報知延長・停止ボタン（報知延長・停止手段）
２２ｓ    障子位置検知用磁気センサー
２２ｍ    障子位置検知用磁石
２３ｓ    錠状態検知用磁気センサー
２３ｍ    錠状態検知用磁石
２４ｇ    可動障子の枠
２５      固定障子
３        玄関ドア
４        防犯システム本体装置
４１      制御部（制御手段）
４２      受信器
４３      タイマー
４４      発信器
４５      ネットワーク接続装置
４６      報知モード切替ボタン（報知モード切替手段）
４７      表示部（報知手段）
４８      スピーカー（報知手段）
５１      スピーカー（報知手段）
６        データ受信装置（報知手段）
７        モニター（表示手段）
８        突部
９        受材
９ａ      受材の受部
Ｍ        居住者（建物の使用者）
Ｎ        ネットワーク
【図１】
0006549859.tif 000002
【図２】
0006549859.tif 000003
【図３】
0006549859.tif 000004
【図４】
0006549859.tif 000005
【図５】
0006549859.tif 000006
【図６】
0006549859.tif 000007
【図７】
0006549859.tif 000008
【図８】
0006549859.tif 000009
【図９】
0006549859.tif 000010